(57)【要約】【課題】ＬＥＤを光源とし導光板を用いた照明装置において、一の照明装置でありながら、器具ごと取り替えることなく、容易に配光特性を変更可能とすること。【解決手段】導光板と導光板の端面に設けられたＬＥＤアレイとを有し前記ＬＥＤアレイから前記端面に入射された光を前記導光板の一方の主面から射出する構成を有する第１光源ユニット１４と、前記構成を基本構成とし、第１光源ユニット１４とは異なる配光特性を有する第２光源ユニット１６と、前記光源ユニット１４，１６が複数台取り付け可能な照明器具１２とを備え、第１および第２光源ユニット１４，１６を前記照明器具１２に着脱自在に設けた。【選択図】図１
2010199041.tif 000002
【特許請求の範囲】
【請求項１】
導光板と導光板の端面に設けられたＬＥＤアレイとを有し前記ＬＥＤアレイから前記端面に入射された光を前記導光板の一方の主面から射出する構成を有する第１光源ユニットと、
前記構成を基本構成とし、前記第１光源ユニットとは異なる配光特性を有する第２光源ユニットと、
前記光源ユニットが複数台取り付け可能な照明器具と、
を備えていることを特徴とする照明装置。
【請求項２】
前記第１および第２光源ユニットを前記照明器具に着脱自在に設けていることを特徴とする請求項１に記載の照明装置。
【請求項３】
前記複数の光源ユニットは、前記照明器具に装着された状態で、隣接する光源ユニットの導光板の側面同士が近接して対向しており、
前記各光源ユニットの前記導光板は、前記ＬＥＤアレイが設けられた端面の表面粗さよりも、前記側面の表面粗さの方が粗いことを特徴とする請求項１または２に記載の照明装置。
【請求項４】
導光板と導光板の端面に設けられたＬＥＤアレイとを有し前記ＬＥＤアレイから前記端面に入射された光を前記導光板の一方の主面から射出する構成を有する第１光源ユニットと、
前記構成を基本構成とし、前記第１光源ユニットとは異なる配光特性を有する第２光源ユニットと、
前記第１光源ユニットおよび前記第２光源ユニットを選択的に点灯する点灯制御手段と、
を備えることを特徴とする照明装置。
【請求項５】
前記第１および第２光源ユニットが装着された照明器具と、
被取付体に前記照明器具が取り付けられた状態において、当該照明器具の直下およびその近傍における人の有無を検出するセンサと、
を有し、
前記点灯制御手段は、前記センサによる検出結果に応じて点灯制御を実行することを特徴とする請求項４に記載の照明装置。
【請求項６】
前記第２光源ユニットは、前記第１光源ユニットよりも集光性の高い配光特性を有し、
前記点灯制御手段は、
前記センサが人を検出していない場合は、前記第１光源ユニットのみを点灯させ、
前記センサが人を検出している間は、前記第１光源ユニットに加えて前記第２光源ユニットを点灯させることを特徴とする請求項５に記載の照明装置。
【請求項７】
前記第１および第２の光源ユニットにおいて、前記導光板の側面に光反射シートが設けられていることを特徴とする請求項１、２、４〜６のいずれか１項に記載の照明装置。
【請求項８】
導光板と導光板の端面に設けられたＬＥＤアレイとを有し前記ＬＥＤアレイから前記端面に入射された光を前記導光板の一方の主面から射出する構成を基本構成に有する複数の光源ユニットが照明器具に装着されてなる照明装置であって、
前記照明器具は、前記光源ユニット各々の装着姿勢を変更し得る可変機構を有していることを特徴とする照明装置。
【請求項９】
前記可変機構を駆動する駆動源と、
前記駆動源を制御する制御手段と、
被取付体に前記照明器具が取り付けられた状態において、当該照明器具の直下およびその近傍における人の有無を検出するセンサと、
を有し、
前記可変機構は、前記各光源ユニットにおける前記導光板の前記主面が前記直下またはその近傍方向に向く第１の姿勢と、前記主面が前記直下およびその近傍から逸れる方向に向く第２の姿勢とに変更可能であり、
前記制御手段は、前記駆動源を制御して、前記センサが人を検出している場合は前記各光源ユニットを第１の姿勢にし、前記センサが人を検出していない場合は前記各光源ユニットを第２の姿勢にすることを特徴とする請求項８に記載の照明装置。
【発明の詳細な説明】
【技術分野】
【０００１】
本発明は、ＬＥＤ照明装置に関し、特に、導光板を有し面状発光するＬＥＤ照明装置に関する。
【背景技術】
【０００２】
ＬＥＤの高輝度化に伴って、ＬＥＤを光源とする照明装置が、従来の蛍光灯を光源とする照明装置の代替品として普及しつつある。特に、直管の蛍光灯が平行に複数本配置されてなる照明装置の代替品として、液晶テレビに用いられるバックライトユニットの技術を応用した照明装置が開発されている。この場合に、特に薄型化が可能なため、エッジライト方式のものが照明装置に取り入れられている。
【０００３】
すなわち、導光板の端面に、白色ＬＥＤアレイを有するＬＥＤモジュールを配し、当該端面から入射させた光を前記導光板の一方の主面から出射させることにより面状発光する照明装置として構成するのである。
【特許文献１】特開２００４−２０６９２６号公報
【特許文献２】特開２００８−０３４３７２号公報
【発明の開示】
【発明が解決しようとする課題】
【０００４】
ところで、照明装置は、一般的に、部屋の用途毎に適切な配光特性を有するものが選択される。例えば、会議室などでは、机上の書類や在室者の顔がよく見えるようにするとともに、部屋全体の雰囲気を明るくする必要があるため、広い配光（以下、拡散タイプ）をもつ照明装置が選択される。一方、細かい仕事を行なう作業室などの場合は、専ら作業者の居る直下およびその近傍を照らすために、狭い配光（以下、集光タイプ）をもつ照明装置が好ましい。
【０００５】
よって、会議室を作業室に変更する場合、従来では、照明装置ごと取り替える必要がある。
また、会議室でも、部屋の中央において少人数で会議をする場合や、あるいは、一人で資料の整理等をする場合もあり、かかる場合には、集光タイプの照明装置が好ましいが、その場合には、拡散タイプの照明装置だけでなく、別途集光タイプの照明装置を設けておき、在室者の人数や用途に応じて切り替える必要がある。
【０００６】
本発明は、上記した課題に鑑み、一の照明装置でありながら、器具ごと取り替えることなく、容易に配光特性を変更できる照明装置を提供することを目的とする。
【課題を解決するための手段】
【０００７】
上記の目的を達成するため、本発明に係る照明装置は、導光板と導光板の端面に設けられたＬＥＤアレイとを有し前記ＬＥＤアレイから前記端面に入射された光を前記導光板の一方の主面から射出する構成を有する第１光源ユニットと、前記構成を基本構成とし、前記第１光源ユニットとは異なる配光特性を有する第２光源ユニットと、前記光源ユニットが複数台取り付け可能な照明器具とを備えていることを特徴とする。
【発明の効果】
【０００８】
上記構成からなる照明装置によれば、配光特性の異なる第１および第２の光源ユニットから、照明器具に取り付ける光源ユニットの組み合わせを選択して照明装置を構成することができるため、一の照明器具で実現できる照明装置の配光特性にバリエーションが生まれる。
ここで、前記第１および第２光源ユニットを前記照明器具に着脱自在に設けることとすることができる。
【０００９】
これによれば、配光特性の異なる第１および第２の光源ユニットが照明器具に着脱自在に設けられているため、照明器具に装着する光源ユニットの組み合わせを変更することにより、照明器具ごと取り替えることなく、照明装置の配光特性を変更し得る。
また、上記目的を達成するため、本発明に係る照明装置は、導光板と導光板の端面に設けられたＬＥＤアレイとを有し前記ＬＥＤアレイから前記端面に入射された光を前記導光板の一方の主面から射出する構成を有する第１光源ユニットと、前記構成を基本構成とし、第１光源ユニットとは異なる配光特性を有する第２光源ユニットと、第１光源ユニットおよび第２光源ユニットを選択的に点灯する点灯制御手段とを備えることを特徴とする。
【００１０】
これによれば、配光特性の異なる第１および第２の光源ユニットを選択的に点灯することができるため、点灯する光源ユニットの組み合わせを変更することにより、一の照明装置でありながら容易に配光特性を変更し得る。
さらに、上記目的をより高度に達成するため、本発明に係る照明装置は、導光板と導光板の端面に設けられたＬＥＤアレイとを有し前記ＬＥＤアレイから前記端面に入射された光を前記導光板の一方の主面から射出する構成を基本構成に有する複数の光源ユニットが照明器具に装着されてなる照明装置であって、前記照明器具は、前記光源ユニット各々の装着姿勢を変更し得る可変機構を有していることを特徴とする。
【００１１】
これによれば、照明器具に複数装着されてなる光源ユニット各々の装着姿勢を変更し得るため、容易に照明装置の配光特性を変更し得る。
【発明を実施するための最良の形態】
【００１２】
以下、本発明に係る照明装置の実施の形態について、図面を参照しながら説明する。
＜実施の形態１＞
図１（ａ）は、実施の形態１に係るＬＥＤ照明装置１０（以下、単に「照明装置１０」と言う。）の組立図である。なお、図１（ａ）を含む全ての図において各構成部材間の縮尺は統一していない。
【００１３】
照明装置１０は、照明器具１２と複数台（本例では５台）の光源ユニット１４，１６を有する。光源ユニットは、その配光特性の違いにより拡散と集光の２種類のタイプがある。同タイプの光源ユニットは、同じ構成を有している。よって、図面において、拡散タイプの光源ユニットには全て符号「１４」を付し、集光タイプの光源ユニットには符号「１６」を付すこととする。また、同タイプの光源ユニット間で区別をする必要のある場合には、上記数字の符号に異なるアルファベットを付すこととする。
【００１４】
照明器具１２は、方形板状をした基体１８を有する。基体１８は、室内における被取付体である天井等に取付けられる。基体１８には、対向する２辺に沿って、支持片２０が５個ずつ接合されている。支持片２０は対向するもの同士で一対を成し、各一対が光源ユニット１台を支持する。支持片２０は、短冊状をした金属片が図示のように屈曲加工されてなるもので、基体１８から立設された部分が弾性的に撓み、かつ復元力（弾性復元力）を有するものである。
【００１５】
基体１８における各一対の支持片２０の間には、それぞれ、一対のコネクタ２２，２４が設けられている。
また、基体１８はその一辺の中央部に突出部１８Ａを有し、突出部１８Ａにはセンサ２６が設けられている。センサ２６は、照明器具１２の直下およびその近傍における人の有無を検出するものであり、公知の人感センサを用いることができる。
【００１６】
基体１８の裏面には、光源ユニット１４，１６を点灯させるための点灯回路ユニット（不図示）が設けられている。点灯回路ユニットからの電力は、コネクタ２２，２４を介して光源ユニット１４，１６に給電される。
光源ユニット１４，１６の詳細について、図２を参照しながら説明する。
図２（ａ）は、拡散タイプである光源ユニット１４の平面図である。
【００１７】
光源ユニット１４は、断面「コ」字状をした筐体２８を有する。筐体２８はアルミニウムからなる。筐体２８は後述するＬＥＤアレイモジュール３８のヒートシンクを兼用しており、放熱性を改善するため、その表面にアルマイト処理が施されている。
筐体２８の凹所底部には、反射シート３０が貼着されている。反射シート３０には、例えば、東レ株式会社製の反射シート（品番：Ｅ６ＳＬ）を用いることができる。
【００１８】
反射シート３０に重ねて、導光板３２が設けられている。導光板３２は、アクリル樹脂からなる。
導光板３２に積層して拡散シート３４が設けられている。拡散シート３４には、例えば、恵和株式会社製の光拡散フィルム（品番：ＢＳ９１３）を用いることができる。
拡散シート３４に続いて、押え部材としても機能するカバー３６が設けられている。カバー３６は、アクリル樹脂からなる。
【００１９】
筐体１８の対向する内壁面の各々には、白色ＬＥＤアレイモジュール３８（以下、単に「ＬＥＤモジュール３８」と言う。）が設けられている。すなわち、導光板３２の対向する両端面の各々に対応させてＬＥＤモジュール３８が設けられている。ＬＥＤモジュール３８は、細長い長方形をした基板４０と基板４０に実装された複数個の青色ＬＥＤチップ（不図示）を有する。当該複数個のＬＥＤチップは、基板４０の長手方向に列設されており、電気的に直列接続されている。列設されたＬＥＤチップには、たとえば蛍光体（ＹＡＧ）含有樹脂４２が被覆されている。なお、本例では、導光板３２の両端面にＬＥＤモジュール３８を設けることとしたが、一方の端面にのみ設けることとしても構わない。要は、少なくとも一の端面にＬＥＤモジュール３８が設けられていれば良いのである。
【００２０】
筐体２８の外底面には、一対のコネクタ４４，４６が設けられている。コネクタ４４，４６は、照明器具１２の基体１８に設けられた対応するコネクタ２２，２４（図１（ａ））と勘合する。直列接続されたＬＥＤチップは、コネクタ４４，４６と不図示の配線で接続されていて、上記点灯回路ユニットからコネクタ２２，２４（図１（ａ））、コネクタ４４，４６、前記配線を介して給電される電力によって点灯する。
【００２１】
ＬＥＤモジュール３０から出射された光は、導光板３２にその端面（対応する端面）から入射する。導光板３２に入射した光は、導光板３２の一方の主面（反射シート３０とは反対側の主面）から射出され、拡散シート３４、カバー３６を介して光源ユニット１４から下方へ射出される。
図２（ｂ）に、光源ユニット１４の配光の形を示す。このような拡散タイプの光源ユニット１４だけをふくむ照明装置を天井に設置し下方を照明した場合は、直下だけでなく斜め方向にも光がいきわたり、このため室内全体が照明される。
【００２２】
集光タイプの光源ユニット１６の正面図を図２（ｃ）に示す。
光源ユニット１６は、主として光学シートの組み合わせが異なる以外は、基本的に光源ユニット１４と同様の構成である。すなわち、導光板と導光板の端面に対応して設けられたＬＥＤモジュールとを有し、ＬＥＤモジュールから前記端面に入射された光を導光板の一方の主面から射出する構成を基本構成に有している。よって、共通する構成部材には同じ符号を付して、その説明は省略し、異なる部分を中心に説明する。
【００２３】
光源ユニット１６は、光学シートとして、拡散シート３４にさらに２枚のプリズムシート４８，５０を積層している。プリズムシート４８，５０には、例えば、住友スリーエム株式会社製のプリズムシート（品番：ＢＥＦ−２）を用いることができる。プリズムシート４８とプリズムシート５０とは、横断面が三角をした畝状のプリズムが複数本平行に配されてなるプリズムシートであるが、当該プリズムの長手方向が直交するように重ねているため、拡散シート３４からの拡散光が正面方向に集光されるものである。
【００２４】
プリズムシート４８，５０は、重ねた状態でその厚みは約３００[μｍ]程度のものである。よって、図２（ａ）、図２（ｃ）では、プリズムシート４８，５０にある程度の厚みをもたせて作図した関係上、各々のカバー３６の厚みが大きく異なってしまって描かれているが、実際には、同じ厚みで同じ形状のものとすることができる。なお、プリズムシート２枚の構成について、説明したが１枚の場合でも同様の効果を示す。特に１枚の場合は、照明器具の長手方向と垂直方向に配光特性が絞れるように配置することで、より集光の効果をより高く得ることができる。
【００２５】
また、カバー３６のプリズムシート５０とは反対側の主面には、四角錘状に突出した突部３６Ａが設けられている。当該突部は、たとえば透明樹脂材料でプリズムからなり、斜め方向からみたときの前記突部における輝度を高めることができる。このような構造体を付加することにより、特許第２９４４９１５号公報に記載されているように、集光タイプの光源ユニット１６であっても室内を明るく感じさせる効果が期待できる。
【００２６】
なお、突部３６Ａは、光源ユニット１６における必須の構成要素ではなく、備えていなくても構わない。要は、必要に応じ、適宜設ければよいのである。
図２（ｄ）に、光源ユニット１６の配光の形を示す。
図１（ａ）に戻り、光源ユニット１４（１６）の筐体２８の両端部には、支持片２０に係合・離脱を可能とする形状に形成された凹部２８Ａを有する。
【００２７】
光源ユニット１４（１６）は、照明器具１０の真下から図１（ａ）に示す姿勢で、照明器具１０（支持片２０）に対し、真上へと押し付けることにより、対向する一対の支持片２０の両方が対向方向外方へ弾性的に撓んで、筐体２８の凹部２８Ａが受け入れられて、光源ユニット１４（１６）が照明器具１２に装着される。装着された状態で、光源ユニット１４（１６）のコネクタ４４，４６（図２（ａ）、図２（ｃ））は、照明器具１２の対応するコネクタ２２，２４に嵌合している。
【００２８】
光源ユニット１４（１６）を照明器具１２から離脱させる（取り外す）場合には、対向する一対の支持片２０を対向方向外方へ指などを使って撓ませ、支持片２０と凹部２８Ａの係合状態を解除した上で、光源ユニット１４（１６）を下方へ引き抜く。
このように、照明装置１０では、光源ユニット１４，１６を照明器具１２に着脱自在に設けているため、ユーザによって照明器具１２に装着する光源ユニットを任意に組み合わせることができる。このため、照明装置１０の配光特性を種々に変更することが可能となる。光源ユニット１４と光源ユニット１６の台数の比率は任意であり、どの光源ユニットをどの位置に装着するのかも自由にできる。もちろん、一方のタイプの光源ユニットのみ５台を装着することとしても構わない。
【００２９】
なお、光源ユニット１４（光源ユニット１６も同様）において最終的に当該ユニットから光が出射される面（以下、「光出射面」と言う）の長さＤは、幅Ｗの整数「Ｎ」倍（本例ではＮ＝５）であることが好ましい。このようにすることで、光源ユニットをＮ台（本例では、５台）平行に設けることにより、正方形をした光出射面を有する照明装置とすることができる。例えば、Ｄ＝３００［ｍｍ］、Ｗ＝６０［ｍｍ］とすると、３００×３００［ｍｍ］の正方形をした光出射面を有する照明装置が実現できる。本例では、カバー３６が最終的に光を出射する部材となっているが、当該カバー３６は光源ユニットとして必須の構成要素ではない。光学シート類（拡散シート、プリズムシート）が、最終的に光を出射する部材となることもあり得る。
【００３０】
５台の光源ユニット１４，１６が装着された状態において、図１（ａ）における矢印Ａの方向から照明装置１０を見た様子を図１（ｂ）に示す。ここでは、５対の支持片２０の内、両端および真ん中に拡散タイプの光源ユニット１４Ａ，１４Ｂ，１４Ｃを、その間に集光タイプの光源ユニット１６Ａ，１６Ｂを装着しており、この設定の下に以下の説明を進める。
【００３１】
光源ユニット１４，１６は、照明器具１２に装着された状態で、隣接する光源ユニットの導光板３２の側面同士が近接して対向している。このため、導光板３２において、出射面（図２（ａ）下側）及び反射面（図２（ａ）上側）以外の面について、ＬＥＤアレイ３８からの光が入射する端面（図２（ａ）左右側）の表面粗さよりも、その他の側面（図２（ａ）紙面表裏側）の表面粗さの方を粗くすることが好ましい。これにより、前記側面間での多重反射による光損失を抑制するとともに、前記側面近傍における出射面の輝度を高めることができる。
【００３２】
図３（ａ）に、光源ユニット１４，１６を点灯制御する点灯回路ユニットの点灯回路５２のブロック図等を示す。
図３（ａ）に示すように、点灯回路５２は、ＡＣ/ＤＣコンバータ５４、キャパシタ５６、抵抗５８、ＩＣコントローラからなる制御部６０および、トランジスタ６２Ａ〜６２Ｄを有しており、商用電源６４から供給される交流電力を直流電力に変換して、各光源ユニット１４Ａ，１４Ｂ，１４Ｃ，１６Ａ，１６Ｂに給電する。制御部６０およびトランジスタ６２Ａ〜６２ＤでＤＣ/ＤＣコンバータ６６が構成されている。
【００３３】
制御部６０には、操作部６８の有するスイッチが接続されている。制御部６０は、図３（ｂ）に示すオン・オフ／ボリュームスイッチ７０，７２，７４，７６，７８（以下、単に「スイッチ７０，７２，７４，７６，７８」と言う。）からの指示を受けて、対応する光源ユニット１４Ａ，１６Ａ，１４Ｂ，１６Ｂ，１４Ｃの点灯・消灯および調光制御を行う。例えば、スイッチ７０のつまみ７０Ａを時計回りに回して当該スイッチをオンにすると制御部６０は、トランジスタ６２Ａをオンにして光源ユニット１４Ａに電流を流し、光源ユニット１４Ａを点灯する。また、制御部６０は、つまみ７０Ａの回転角に応じて、トランジスタ６２Ａを制御して光源ユニット１４Ａに流す電流量を調整し、光源ユニット１４Ａを調光点灯させる。
【００３４】
操作部６８は、モード切替スイッチ８０（以下、単に「切替スイッチ８０」と言う。）を有する。制御部６０は、切替スイッチ８０がオフの場合には、上記したスイッチ７０，７２，７４，７６，７８の指示に従い、対応する光源ユニット１４Ａ，１４Ｂ，１４Ｃ，１６Ａ，１６Ｂの点灯制御を行う。一方、切替スイッチ８０がオンになりセンサモードが選択されると、スイッチ７０，７２，７４，７６，７８の状態に関わらず、センサ２６からの検出信号に応じて、光源ユニット１４Ａ，１４Ｂ，１４Ｃ，１６Ａ，１６Ｂのオン・オフ制御を行う。
【００３５】
センサモードが選択された場合に、制御部６０の実行する処理について、図４に示すフローチャートを参照しながら説明する。
切替スイッチ８０がオンされて、センサモードが選択されると（ステップＳ１でＹＥＳ）、制御部６０は、拡散タイプである光源ユニット１４Ａ，１４Ｂ，１４Ｃを所定の電流量（所定の明るさ）で点灯させる（ステップＳ２）。
【００３６】
続いて、センサ２６の検出結果を参照し、センサ２６がオンの場合には（ステップＳ３でＹＥＳ）、集光タイプである光源ユニット１６Ａ，１６Ｂを点灯させ（ステップＳ４）、センサ２６がオフの場合には（ステップＳ３でＮＯ）、光源ユニット１６Ａ，１６Ｂを消灯させる。
以降、切替スイッチ８０がオフになるまで（ステップＳ６でＹＥＳ）、ステップＳ３〜Ｓ６が繰り返される。
【００３７】
切替スイッチ８０がオフされ、センサモードが解除されると（ステップＳ６でＹＥＳ）、制御部６０は、全光源ユニット１４Ａ，１４Ｂ，１４Ｃ，１６Ａ，１６Ｂを消灯する（ステップＳ７）。その後は、スイッチ７０，７２，７４，７６，７８からの指示に従って、各光源ユニット１４Ａ，１４Ｂ，１４Ｃ，１６Ａ，１６Ｂの点灯・消灯・調光制御を行う。
【００３８】
以上のセンサモードが実行されると、拡散タイプの光源ユニット１４Ａ，１４Ｂ，１４Ｃが点灯された上で、照明装置１０の直下およびその近傍に人が検出されている間は、集光タイプの光源ユニット１６Ａ，１６Ｂが点灯されることとなる。
これにより、一の照明装置でありながら、器具ごと取り替えることなく、容易に配光特性を変更することができることとなる。
【００３９】
なお、導光板３２の前記側面に反射性構造体を配することにより、光損失の抑制及び側面近傍における出射面の輝度向上が可能である。前記反射性構造体は、筐体２８の凹所底部に配した反射シート３０を、ＬＥＤアレイ３８に対向しない辺に沿って出射面側に折り曲げて、導光体３２の前記側面を覆うようにすることによって構成できる。
また、光源ユニット１４，１６を専ら選択点灯の用途に用いる場合には、上記のように反射シート３０を導光板３２の側面まで延出することにより、点灯中の光源ユニットの導光板の側面から漏れた光が、隣接する不点灯の光源ユニットにその導光板の側面から入射し、不点灯の光源ユニットから光が射出されるのを防止することができる。
＜実施の形態２＞
上記実施の形態では、配光特性の異なる光源ユニットを照明器具に着脱自在に設けることにより、または、装着された複数の光源ユニットを選択的に点灯させることにより、照明装置の配光特性を変更することとした。
【００４０】
これに対し、実施の形態２では、複数の光源ユニットの各々の装着姿勢を変化させることにより照明装置の配光特性を変更することとしている。
なお、各光源ユニットは、実施の形態１のものと同じものが用いられるため、実施の形態２の図面においては、実施の形態１と同じ符号を付して、その説明については省略する。
【００４１】
実施の形態２に係る照明装置１００を図５に示す。
照明装置１００は、光源ユニット１６を複数台（本例では、４台）有する。なお、照明装置１００を構成する光源ユニットは、光源ユニット１６に限らず、光源ユニット１４でも構わない。あるいは、両光源ユニット１４，１６を混在させても構わない。
図５は、被取付体である天井ＣＥに取り付けられた状態の照明装置１００を、光源ユニット１６の長手方向から見た図である。
【００４２】
光源ユニット１６の各々は、その向きを可変にする可変機構１２６を有する取付具１０４を備えた照明器具１０２に着脱自在に設けられている。
４台の取付具は、いずれも同様の構成である。よって、最も左側の取付具１０４を代表に説明し、その他の取付具およびその構成部材には、当該左側の取付具１０４と同じ符号を付してその説明については省略する。また、取付具１０４間で区別する場合は、さらにアルファベットを付すこととする。
【００４３】
照明器具１０２は、天井ＣＥに固定された方形板状をした基体１０６を有する。
基体１０６には支持部材１０８が固定されており、支持部材１０８の下方端部には、シャフト１１０が回転自在に軸支されている。
シャフト１１０と一体的に回転するように、当該シャフト１１０に接合された連結部材１１２を介して、可動板１１４がシャフト１１０に取り付けられている。
【００４４】
可動板１１４は、光源ユニット１６を下方から見たのと同様の長方形をした板体からなり、その長手方向の両端部には、支持片２０が固定されている。光源ユニット１６は、一対の支持片２０によって照明器具１０２に着脱自在に設けられている。
シャフト１１０の一端部には、ウォームホイール１１６が一体的に設けられている。
基体１０６には、ウォームホイール１１６と歯合するウォーム１１８が設けられている。ウォーム１１８に一体的に設けられたウォームシャフト１２０は、モータ１２２の出力軸１２４と連結されている。
【００４５】
上記構成からなる可変機構１２６において、可変機構１２６の駆動源であるモータ１２２を回転させると、ウォームシャフト１２０、ウォーム１１８、シャフト１１０、連結部材１１２、可動板１１４、および支持片２０を介して光源ユニット１６の向きが矢印Ｆまたは矢印Ｒの向きに変化する。なお、モータ１２２に変えて、手回しハンドルをウォームシャフト１２０に取り付けても構わない。このようにすることで、ユーザが当該ハンドルを操作して、各光源ユニット１６を所望の向きに設定することが可能となる。
【００４６】
モータ１１２は、正転・逆転の切替機能とロータリエンコーダ（いずれも不図示）を有しており、後述する制御部６０の指示に基づいて、予め定められた所定の角度分、出力軸１２４を正転又は逆転させる。正転すると光源ユニット１６は矢印Ｆの向きに回転し、逆転すると光源ユニット１６は矢印Ｒの向きに回転する。
また、照明器具１０２は、照明器具１２（図１（ａ））と同様、センサ２６を有している。
【００４７】
図６（ａ）に、光源ユニット１６の点灯制御と、モータ１２２の回転制御とを実行する制御回路１２８のブロック図等を示す。
制御回路１２８において、点灯回路５２（図３（ａ））と同様の構成部分については同じ符号を付してその説明については省略する。また、４台の光源ユニット１６は、点灯回路５２の場合と同様に接続されているのであるが、ここでは、モータ１２２の回転制御を中心に説明するため、便宜上、図６（ａ）において光源ユニット１６は省略することとする。
【００４８】
制御部１３０には、操作部１３２の有するスイッチが接続されている。制御部１３０は、図６（ｂ）に示すオン・オフスイッチ１３４からの指示を受けて、４台の光源ユニット１６Ａ〜Ｄの点灯・消灯を行う。
また、制御部１３０は、図６（ｂ）に示す正逆切替スイッチ１３６，１３８，１４０，１４２からの指示を受けて、対応するモータ１２２Ａ〜Ｄの回転制御を行う。制御部１３０は、例えば、正逆切替スイッチ１３６のつまみ１３６Ａが中立の位置から時計回り、反時計回りに回されるとその回転角に応じた信号をモータ１２２Ａに出力し、モータ１２２Ａは当該信号に応じて出力軸１２４Ａを回転させる。つまみ１３６Ａが図６（ｂ）に示す矢印Ｒの向きに回されると、モータ１２２Ａはつまみ１３６Ａの回転角に応じて正転する。これにより光源ユニット１６Ａは矢印Ｆ（図５）の向きに方向を変える。この逆に、つまみ１３６Ａが図６（ｂ）に示す矢印Ｌの向きに回されると、モータ１２２Ａはつまみ１３６Ａの回転角に応じて逆転する。これにより光源ユニット１６Ａは矢印Ｒ（図５）の向きに方向を変える。
【００４９】
スイッチ１３６，１３８，１４０，１４２を操作することにより、ユーザは４台の光源ユニット１６Ａ〜Ｄの各々の向きを独立して変更することができる。その結果、照明装置１０２の配光特性を可能な限り自由に変更できる。
操作部１３２は、モード切替スイッチ１４４（以下、単に「切替スイッチ１４４」と言う。）を有する。制御部１３０は、切替スイッチ１４４がオフの場合には、上記したスイッチ１３６，１３８，１４０，１４２の指示に従い、対応するモータ１２２Ａ，１２２Ｂ，１２２Ｃ，１２２Ｄの回転制御を行う。一方、切替スイッチ１４４がオンになりセンサモードが選択されると、スイッチ１３６，１３８，１４０，１４２の状態に関わらず、センサ２６からの検出信号に応じて、モータ１２２Ａ，１２２Ｂ，１２２Ｃ，１２２Ｄの回転制御を行う。
【００５０】
センサモードが選択された場合に、制御部１３０の実行する処理について、図７に示すフローチャートを参照しながら説明する。
切替スイッチ１４４がオンされて、センサモードが選択されると（ステップＳ１０でＹＥＳ）、センサ２６の検出結果を参照する（ステップＳ１１）。
センサ２６がオン状態であれば（ステップＳ１１でＹＥＳ）、制御部１３０は、集光モードを実現するため、モータ１２２Ａ，１２２Ｂをそれぞれ所定の回転角分正転させる一方、モータ１２２Ｃ，１２２Ｄをそれぞれ所定の回転角分逆転させる（ステップＳ１２）。この結果、図８（ａ）に示すように、各光源ユニット１６Ａ，１６Ｂ，１６Ｃ，１６Ｄの導光板３２（図２（ａ），（ｃ））の主面が照明器具１０２の直下またはその近傍を向く。これにより、４台の光源ユニット１６は、左右に配された２台の光源ユニット１６Ａ，１６Ｂと光源ユニット１６Ｃ，１６Ｄのそれぞれが照明器具１０２の中央の向きに向き、照明装置１０２の直下およびその近傍を明るく照らす。すなわち、図１に示すような照明器具に装着して光源ユニット１６すべての主面を鉛直方向に向けた場合と比べて、照明器具直下のさらに狭い領域を照明することができる。
【００５１】
一方、センサ２６がオフ状態であれば（ステップＳ１１でＮＯ）、制御部１３０は、拡散モードを実現させるため、モータ１２２Ａ，１２２Ｂをそれぞれ所定の回転角分逆転させる一方、モータ１２２Ｃ，１２２Ｄをそれぞれ所定の回転角分正転させる（ステップＳ１３）。この結果、図８（ｂ）に示すように、各光源ユニット１６Ａ，１６Ｂ，１６Ｃ，１６Ｄの導光板３２（図２（ａ），（ｃ））の主面が照明器具１０２の直下およびその近傍から逸れる方向を向く。これにより、４台の光源ユニット１６は、左右に配された２台の光源ユニット１６Ａ，１６Ｂと光源ユニット１６Ｃ，１６Ｄのそれぞれが照明器具１０２の端部方向に向き、照明装置１０２が備えられた部屋を可能な限り全体的に照らす。すなわち、配光の狭い光源ユニット１６を用いていながら、光源ユニットの短手方向にあたかも光源ユニット１４を図１に示すような照明器具に装着した場合と同等の照明効果を得ることできる。
【００５２】
以降、切替スイッチ１４４がオフになるまで（ステップＳ１４でＹＥＳ）、ステップＳ１１〜Ｓ１４が繰り返される。
切替スイッチ１４４がオフされ、センサモードが解除されると（ステップＳ１４でＹＥＳ）、制御部１３０は、ノーマルモードを実現させるため、各モータ１２２Ａ，１２２Ｂ，１２２Ｃ，１２２Ｄに指示して、全光源ユニット１６Ａ，１６Ｂ，１６Ｃ，１６Ｄを真下に向ける（ステップＳ１５）。その後は、スイッチ１３６，１３８，１４０，１４２からの指示に従って、モータ１２２Ａ，１２２Ｂ，１２２Ｃ，１２２Ｄの回転制御を行う。
【００５３】
なお、図５において光源ユニット１６のかわりに光源ユニット１４を用いると、センサがオン状態であれば、光源ユニット１６を図１の照明器具に装着した場合と同等の照明効果が期待でき、かつセンサがオフ状態であれば、光源ユニット１４を図１の照明器具に装着した場合よりも、さらに部屋の周辺にまで照明光をいきわたらせることができる。
以上の制御により、一の照明装置でありながら、器具ごと取り替えることなく、容易に配光特性を変更することができることとなる。
＜実施の形態３＞
図９は、天井（不図示）に取り付けられた実施の形態３に係る照明装置２００を真下から見た図である。
【００５４】
照明装置２００は、方形板状をした基体２０２を有しており、当該基体２０２に複数台（本例では、２４台）の光源ユニット１６が基体２０２の中心から放射状に配されている。なお、本例では、光源ユニット１６のみで照明装置２００を構成したが、これに限らず、光源ユニット１４のみで照明装置２００を構成することとしても構わない。あるいは、両光源ユニット１４，１６を混在させても構わない。
【００５５】
各光源ユニット１６は、実施の形態２の取付具１０４と同様な取付具２０４によって、基体２０２に取り付けられている。よって、実施の形態２と共通する構成部材については同じ符号を付してその説明については省略することとする。
実施の形態２では、光源ユニット１６は、その短手方向に向きが変わるように取付具１０４に取り付けられているのに対し、実施の形態３では、図９（ｂ）に示すように、光源ユニット１６は、その長手方向に向きが変わるように取付具２０４に取り付けられている。
【００５６】
上記の構成からなる照明装置２００において、各光源ユニット１６に対応するモータ１２２を制御して、各光源ユニット１６を照明器具２０６の中央に向けて、部屋の中央部を主に明るく照らす集光モードや、あるいは、各光源ユニット１６を上記とは逆向きに向けて部屋を可能な限り全体に渡って照らす拡散モードに切り替えることができる。
以上、本発明に係る照明装置を実施の形態に基づいて説明してきたが、本発明は上記し形態に限らないことは勿論であり、例えば、以下の形態とすることもできる。
（１）上記実施の形態では、導光板に重ねる光学シート類（拡散シート、プリズムシート）の組み合わせにより、光源ユニット１４と光源ユニット１６の配光特性を異ならせたが、配光特性は、これに限らず導光板によって異ならせることとしても構わない。
【００５７】
たとえば、拡散タイプは上記光源ユニット１４とする。そして、集光タイプは導光板の光出射側主面にプリズムを形成したものを用いることとする。当該プリズムは、横断面が三角をした畝状のプリズムが複数本平行に形成し、これとその長手方向が直交するように同形状のプリズムを複数本平行に形成するのである（なお、両プリズムを同一表面に形成する関係上、畝状ではなくなっている。）。そして、当該導光板を用いた光源ユニットでは、光学シーと類は用いず、必要に応じてカバーを設けることとする。
（２）上記実施の形態１では、５台の光源ユニットで照明装置を構成することとしたが、照明装置を構成する光源ユニットの台数は５台に限らず任意の複数台である。蛍光灯などを光源とする既存の照明装置が取り付けられている天井スペースなどに合わせて、照明装置を構成する光源ユニットの台数を増減可能である。
【産業上の利用可能性】
【００５８】
本発明に係る照明装置は、例えば、会議を開催するいっぽうで細かい作業を行なうスペースとしても用いるような多目的ルームをはじめ、配光特性を容易に変更することが求められる室内照明の分野において好適に利用可能である。
【図面の簡単な説明】
【００５９】
【図１】（ａ）は、実施の形態１に係るＬＥＤ照明装置の組立図であり、（ｂ）は、照明器具に光源ユニットが装着された状態において（ａ）における矢印Ａの向きにＬＥＤ照明装置を見た図である。
【図２】（ａ）は拡散タイプの光源ユニットの正面図を、（ｂ）はその配光の形を、（ｃ）は集光タイプの光源ユニットの正面図を、（ｄ）はその配光の形をそれぞれ示している。
【図３】（ａ）は、光源ユニットを点灯制御する点灯回路ユニットの点灯回路のブロック図等であり、（ｂ）は操作部を示す図である。
【図４】前記点灯回路の制御部で実行されるプログラムの処理手順を示すフローチャートである。
【図５】実施の形態２に係るＬＥＤ照明装置を示す図である。
【図６】（ａ）は、実施の形態２に係るＬＥＤ照明装置の光源ユニットの点灯制御と、モータの回転制御とを実行する制御回路のブロック図等を示し、（ｂ）は操作部の図を示す。
【図７】前記制御回路の制御部で実行されるプログラムの処理手順を示すフローチャートである。
【図８】（ａ）は、集光モードにおける各光源ユニットの装着姿勢を示し、（ｂ）は、拡散モードにおける各光源ユニットの装着姿勢を示す。
【図９】（ａ）は、実施の形態３に係る照明装置を下方から見た図であり、（ｂ）は、当該照明装置を構成する光源ユニット等をその側方から見た図である。
【符号の説明】
【００６０】
１０，１００，２００  照明装置
１２，１０２，２０６  照明器具
１４，１６  光源ユニット
２６  センサ
３２  導光板
３８  ＬＥＤアレイモジュール
５２  点灯回路
６０  制御部
１２６  可変機構
１２８  制御回路
１３０  制御部
【図１】
2010199041.tif 000003
【図２】
2010199041.tif 000004
【図３】
2010199041.tif 000005
【図４】
2010199041.tif 000006
【図５】
2010199041.tif 000007
【図６】
2010199041.tif 000008
【図７】
2010199041.tif 000009
【図８】
2010199041.tif 000010
【図９】
2010199041.tif 000011